(57)【特許請求の範囲】
【請求項１】
板長手方向に間隔をおいて複数の板幅方向に貫通する込栓用貫通横孔が設けられていると共に板厚方向に間隔をおいて平行に２列設けられ、かつ各込栓用貫通横孔に込栓が突出可能に装着配置されているパネルであって、パネルの幅方向一端側および他端側に、幅方向の中心縦軸線に対して点対称に、板幅方向のずれを拘束する傾斜したしゃくり面を有する係合部を備えていることを特徴とするパネル。
【請求項２】
請求項１に記載のパネルを幅方向に並べて配置し、かつ隣り合う一方のパネルにおけるしゃくり上面に、隣り合う他方のパネルにおけるしゃくり下面を載置して、傾斜したしゃくり面相互を係合させて、一方のパネルに装着された各込栓の一部を他方のパネルにおける込栓用貫通横孔に押し込むようにずらしてパネル相互を連結することを特徴とするパネルの連結方法。
【発明の詳細な説明】
【技術分野】
【０００１】
本発明は、隣り合うパネル相互または版体相互を確実に連結して面剛性を高めた込栓装着パネルおよびパネルの連結方法に関する。
【背景技術】
【０００２】
従来、パネル特に木製パネルおよびそのパネル相互を連結構造として、パネル幅方向の一端側にパネル長手方向に連続した雄実を設けると共に他端側にパネル長手方向に連続した雌実を設けて、一方のパネルの雄実と他方のパネルの雌実とを嵌合して、パネル相互を連結する構造が知られている（例えば、特許文献１参照）。
【特許文献１】特開２００７−４００３９
【発明の開示】
【発明が解決しようとする課題】
【０００３】
前記従来の場合は、パネル幅方向の端部に幅方向の突出量の少ない雄実と雌実との係合であるので、パネル幅方向の拘束が弱くパネル相互が幅方向にずれ移動しやすく、幅方向にずれたり、あるいは外れた場合には、再度係合した状態に直して、釘などの固定手段により土台あるいは大引などに固定するという煩雑な作業になるという問題がある。
また、板厚中央部の中立軸近傍に雄実を設ける共に雌実を設ける形態であるので、係合部の曲げ剛性は、雄実と雌実の係合に依存することになり曲げ剛性を高めることが難しいという問題がある。
本発明は前記の課題を解消した込栓装着パネルおよびパネルの連結方法を提供することを目的とする。
【課題を解決するための手段】
【０００４】
前記の課題を有利に解決するために、第１発明のパネルにおいては、板長手方向に間隔をおいて複数の板幅方向に貫通する込栓用貫通横孔が設けられていると共に板厚方向に間隔をおいて平行に２列設けられ、かつ各込栓用貫通横孔に込栓が突出可能に装着配置されているパネルであって、パネルの幅方向一端側および他端側に、幅方向の中心縦軸線に対して点対称に、板幅方向のずれを拘束する傾斜したしゃくり面を有する係合部を備えていることを特徴とする。
第２発明のパネルの連結方法では、第１発明のパネルを幅方向に並べて配置し、かつ隣り合う一方のパネルにおけるしゃくり上面に、隣り合う他方のパネルにおけるしゃくり下面を載置して、傾斜したしゃくり面相互を係合させて、一方のパネルに装着された込栓の一部を他方のパネルにおける込栓用貫通横孔に押し込むようにずらしてパネル相互を連結することを特徴とする。
【発明の効果】
【０００５】
第１発明によると、板長手方向に間隔をおいて複数の板幅方向に貫通する込栓用貫通横孔が設けられ、その込栓用貫通横孔に込栓が突出可能に装着配置されているパネルであるので、隣り合うパネルを込栓により連結することができる簡単な構造のパネルとすることができる。
また、込栓はパネルに収納配置されているので、パネルの搬送時において込栓が損傷する恐れを排除することができる。
また、第１発明のように、込栓用貫通横孔が板厚方向に間隔をおいて平行に２列設けられているパネルとすると、２列の込栓により隣り合うパネル相互を連結して剛性の高いパネルとすることができる。
また、第１発明のように、板長手方向に間隔をおいて複数の板幅方向に貫通する込栓用貫通横孔が設けられ、複数平行に並べられた隣り合うパネルの込栓用貫通横孔に渡って装着配置された長尺込栓により連結されているパネルとすると、長尺の込栓を利用し少ない本数の込栓によりパネルを連結一体化することができる。
また、第１発明のように、パネルの幅方向一端側および他端側に、幅方向の中心縦軸線に対して点対称にしゃくり面を有する係合部を備えているパネルであると、パネルを簡単な形状にして、隣合うパネルを並列して並べた場合にしゃくり面相互を係合可能な簡単な構造のパネルとすることができる。
また、第１発明のように、パネルの幅方向一端側および他端側に、幅方向の中心縦軸線に対して点対称に、板幅方向のずれを拘束する傾斜したしゃくり面を有する係合部を備えているパネルとすると、傾斜したしゃくり面を設けるだけで、隣り合うパネルの板幅方向のずれを防止することができる。
また、第２発明のように、前記のようなパネルをその幅方向に並べて配置し、一方のパネルに装着された込栓の一部を他方のパネルにおける込栓用貫通横孔に押し込むようにずらしてパネル相互を連結すると、予め込栓はパネル内に装着されているので、これを単に押し出すようにずらすだけの簡単な方法で、容易にパネル相互を確実に連結することができる効果が得られる。
【発明を実施するための最良の形態】
【０００６】
次に、本発明を図示の実施形態に基づいて詳細に説明する。
【０００７】
図１（Ａ）および図３（Ａ）には、本願の第１実施形態のパネル１が示されている。正面方向の断面が矩形断面の木製パネル本体２における板厚方向の中間部であって上面よりに、板長手方向に間隔Ｌをおいて複数の板幅方向に貫通する込栓用貫通横孔３が設けられ、その込栓用貫通横孔３に、込栓用貫通横孔３の長さと同じ長さの堅木からなる込栓４が収納されるように配置されている。
前記の間隔Ｌとしては、例えば、１０ｃｍ〜３０ｃｍ程度の間隔で設けるようにすればよい。
前記の込栓用貫通横孔３の直径よりも込栓４の直径は僅かに大きくされ、前記込栓４は、込栓用貫通横孔３の直径よりも僅かに小さい丸鋼棒等の押し込み金具を当接して、その押し込み金具を木製あるいは金属製ハンマーにより殴打することにより、込栓４を押し込み、パネル１の幅方向の外側に突出可能に装着配置されている。
したがって、隣接するパネルがある場合には、前記の各込栓４を、鋼棒等の押し込み金具を介在させて殴打することにより、パネル幅方向にずらして、隣接するパネル１の込栓用貫通横孔３に圧入するように移動させて、パネル１相互の連結を図ることができるようにされている。
第１実施形態の複数のパネル１を幅方向に並べて連結する形態が図４（Ａ）および図５（Ａ）に示されている。図４（Ａ）には、パネル１が幅方向に並べられた状態が示されており、この状態では、パネル１長手方向のすべての込栓用貫通横孔３は、同レベルでパネル１長手方向に同じ位置に配置されている。
【０００８】
図５（Ａ）には、図４に示す状態から、右端に位置する各込栓４を押し込み用鋼棒（図示を省略した）を介して金槌などにより殴打して各込栓４の先端部を隣接するパネル側にずらして全てのパネル１相互を連結した状態が示されている。
【０００９】
図１（Ｂ）〜図１（Ｅ）および図３（Ａ）並びに図４（Ｂ）〜図４（Ｅ）には、第１実施形態と同様な要素を備えた第２〜第５実施形態のパネル１が示されている。前記第２〜第５実施形態では、主に前記実施形態と相違する点を説明し、同様な部分には、同様な符号を付して説明を簡単にする。
【００１０】
図１（Ｂ）および図３（Ａ）並びに図４（Ｂ）では、パネル本体２の幅方向一方の一側部にしゃくり下面５およびこれに接続する垂直面６を有する切り欠き部７が設けられ、幅方向の他側部には、しゃくり上面８およびこれに接続する垂直面６を有する切り欠き部７が設けられている。上位に位置する一方の切り欠き部７の垂直面６における上下方向の中間部に開口するように込栓用貫通横孔３が設けられ、込栓４が挿入配置されている。
このような形態では、図４（Ｂ）に示すように、隣り合う一方のパネル１におけるしゃくり上面８に、隣り合う他方のパネル１におけるしゃくり下面５を載置するように、パネル１を幅方向に並べて配置することができる。パネル１の上下方向の移動を前記しゃくり面（上面または下面）により拘束することができる。
また、このような形態のパネル１における込栓４を隣接するパネル１の込栓用貫通横孔３側に押し出すように位置をずらして、図５（Ｂ）に示すように、パネル１相互を連結してもよい。このような形態では、しゃくり上面８としゃくり下面５が係合する形態であるので、パネル１相互にパネル１に直角な荷重が作用するような形態では、しゃくり上面８を介して、隣接するパネル１に荷重を伝達することができる。
なお、パネル１から突出した込栓４の部分は、必要に応じ、適宜切断除去することができる。
また、込栓４による連結と前記のしゃくり面相互による係合とが共同して、曲げ力に抵抗することができるため、パネルの曲げ剛性を高めることができる。
【００１１】
図示の形態では、パネル１の幅方向一端側および他端側に、幅方向の中心縦軸線に対して点対称にしゃくり面を有する切り欠き部７からなる係合部９を備えているパネルとされている。
【００１２】
図１（Ｃ）および図３（Ａ）並びに図４（Ｃ）では、パネル本体２の幅方向一方の一側部に、幅方向の端面に接続すると共にしゃくり面の下位レベルとされている傾斜したしゃくり下面５およびこれに接続する垂直面６を有する切り欠き部７が設けられ、幅方向の他側部には、幅方向の端面に接続すると共にしゃくり面の上位レベルとされているしゃくり上面８およびこれに接続する垂直面６を有する切り欠き部７が設けられている。上位に位置する一方の垂直面６における上下方向の中間部に開口するように込栓用貫通横孔３が設けられ、込栓４が挿入配置され、傾斜したしゃくり上面８あるいはしゃくり下面５と、込栓用貫通横孔３あるいは込栓４とが干渉しないように配置されている。
このような形態では、図４（Ｃ）に示すように、隣り合う一方のパネル１におけるしゃくり上面８に、隣り合う他方のパネル１におけるしゃくり下面５を載置するように、パネル１を幅方向に並べて配置した場合、傾斜したしゃくり面相互が係合するようになるため、隣り合うパネル１相互が幅方向に離反するのを防止することができる。
このようにパネル幅方向に仮止めした状態で、込栓４をずらして、図５（Ｃ）に示すようにパネル１相互の連結を図ることができる。
【００１３】
図１（Ｄ）および図３（Ａ）並びに図４（Ｄ）では、パネル１における傾斜したしゃくり上面８と垂直面６との接続部を断面円弧状として、しゃくり上面８あるいはしゃくり下面５の係合部の剛性を高めるようにした形態である。しゃくり上面８またはしゃくり下面５奥部の溝および先端部の角部を形成しているしゃくり面を含む２面の傾斜角度は４５度前後の角度とされている。
そして、前記の図１（Ｃ）の形態と同様に、パネル幅方向に仮止めした状態で、込栓４をずらして、図５（Ｃ）に示すようにパネル１相互の連結を図ることができる。
【００１４】
図１（Ｅ）および図３（Ａ）並びに図４（Ｅ）では、パネル１における傾斜したしゃくり上面８に接続する垂直面６に接続するように、幅方向外側に向かって幅が広くなるように、傾斜下面１０を有する上部係合部９を設け、また、傾斜したしゃくり下面５に接続する垂直面６に接続するように、幅方向外側に向かって幅が広くなるように、傾斜上面１１を有する下部係合部９を設けた形態である。そしてこの形態では、前記のように構成することにより、幅方向端部において、板厚方向の一方に雄実１２を他方に雌実１３を形成するような形態である。
前記の雌実１３の溝と雄実１２の凸部はほぼ同形状で、雌実１３のしゃくり上面８またはしゃくり下面５奥部の溝を形成しているしゃくり面を含む２面の傾斜角度は４５度前後の角度とされ、雄実１２の先端部の角度が僅かに小さくされて、隣り合う一方のパネル１における幅方向一端部の雄実１２および雌実１３と、他方のパネル１における幅方向他端部の雄実１２および雌実１３とがガイドされながら係合して、パネル厚さ方向（上下方向）およびパネル幅方向（横方向）の両方向の移動を拘束するようにした形態である。
この形態でも、前記実施形態と同様に、パネル幅方向に仮止めした状態で、込栓４をずらして、図５（Ｅ）に示すようにパネル１相互の連結を図ることができる。
【００１５】
図２（Ａ）〜図２（Ｅ）は、前記の図１（Ａ）〜図１（Ｅ）に示す第１〜第５実施形態に対応して、木製パネル本体における板厚方向の中間部において、中立軸から偏心した位置において、込栓用貫通横孔３をパネル１の板厚方向に間隔をおいて平行に２列設けた第６〜第１０実施形態を示すものであり、いずれも垂直面６に開口するように込栓用貫通横孔３が設けられ、その込栓用貫通横孔３に込栓４がそれぞれ収納配置されている。
このような形態では、図３（Ｂ）（Ｃ）に示すように、パネル長手方向側面において、込栓用貫通横孔３の配置形態としては、図３（Ｂ）に示すように千鳥状配置としてもよく、図３（Ｃ）に示すように整列配置としてもよい。
図３（Ｃ）のように、板厚方向に間隔をおいて同レベルに平行に整列配置される上下方向の込栓用貫通横孔３中心間の間隔ｂ（図３Ｃ参照）と、千鳥状に配置される込栓用貫通横孔３の上下方向の間隔ｂ（図３Ｂ参照）は同じとした場合、千鳥状に配置される隣り合う個々の込栓用貫通横孔３の中心間間隔のほうが、ずらされている分、込栓用貫通横孔３の中心間間隔が長くなり、かつ、パネル長手方向に直角な上下方向での断面欠損が一つの込栓用貫通横孔３のみとなり（整列配置の場合には断面欠損が２つになる）、パネル１の強度あるいは耐久性の上では有利である。
また、上下の込栓用貫通横孔３を図３（Ｃ）のように、整列配置している形態では、上下方向の込栓用貫通横孔３中心間の間隔ｂが接近した極小に配置している場合には、上下の込栓用貫通孔３が重なるようになる（バティングするようになる）が、前記のように上下の込栓用貫通横孔３を千鳥状に配置すると、上下の込栓用貫通横孔３列の中心線間の間隔ｂが上下方向に接近した状態で配置することも可能になるばかりでなく、パネル１の強度あるいは耐久性の上で有利である。
前記込栓用貫通横孔３を板厚方向に整列または千鳥状に配置する場合の板厚方向の間隔ｂとしては、例えば、込栓用貫通横孔３の中心間隔で、例えば、４０ｍｍ〜４５ｍｍ程度でよい。
前記各実施形態における込栓用貫通横孔３の直径寸法としては、例えば、１２ｍｍ〜１５ｍｍ程度の貫通孔でよく、込栓４の直径寸法は、前記込栓用貫通横孔３よりも僅かに大きい外径寸法とすればよい。
図３（Ｄ）は、図３（Ｃ）を代表にして、直列に配置されるパネル１とこれらに幅方向に隣り合うパネル１相互を接合する場合の説明図であり、各パネル１における端部の込栓用貫通横孔３を、パネル端部から込栓用貫通横孔３間のピッチＬの半ピッチ（Ｌ／２）ずらした位置に設けることにより、直列に配置される各パネル１を、点線で示すパネル幅方向に隣り合うパネル１の込栓用貫通横孔３と合致させて込栓４を押し込むことで接合可能になる。図示の形態では、点線で示すパネル幅方向に隣り合うパネル１は２ピッチ（２Ｌ）分、パネル長手方向に左側にずらすことにより、左側では４本の込栓４により、右側では６本の込栓４により結合している。
なお、点線で示すパネル幅方向に隣り合うパネル１は１ピッチ（Ｌ）分、あるいは３ピッチ（Ｌ）分、ずらすようにしてもよい。
なお、パネル１の長さは３のピッチＬの５場合の長さ（５Ｌ）としているが、６倍あるいは７倍等の整数倍の長さでもよい。
前記のように端部の込栓用貫通横孔３を半ピッチ（Ｌ／２）ずらして設ける場合には、図３（Ａ）および図３（Ｂ）に示す形態でも同様である。
【００１６】
図６（Ａ）〜図（Ｅ）は、前記の第１〜第５実施形態に対応して、木製パネル本体における板厚方向の中間部において、中立軸から偏心した位置において、込栓用貫通横孔３をパネル１の板厚方向に間隔をおいて２列設けた形態であり、押し棒により込栓４を押し出すことにより、各込栓用貫通横孔３内に配置されている込栓４が突出可能に装着配置されている。図７には、図６（Ｄ）の斜視図が示されている。
図６（Ａ）〜図（Ｅ）の各図の矢印で示す方向に込栓４を押圧移動させることにより、隣接するパネル１の込栓用貫通横孔３に圧入することで、隣り合うパネル１相互を連結することができ、また、込栓４がパネル１に２列配置されているので、連結されたパネル１相互の曲げ剛性を高めることができる。
【００１７】
また、図６（Ｅ）左の２枚のパネル１では、隣り合う複数（図示の場合は２つ）のパネル１が予め長尺の込栓４により平面的に複合一体化されたパネル１とされている。すなわち、複数平行に並べられた隣り合うパネルの込栓用貫通横孔３に渡って装着配置された長尺な込栓４により連結されている平面的に複合されたパネル１を利用した形態であり、そのように平面的に複合されたパネル１が左右に並べられて、矢印で示すように一方の複合されたパネル１における長尺込栓４が他方の込栓用貫通横孔３に圧入されることにより、より広く平面的に複合化されたパネル１とすることができる。
図６（Ｅ）左に示す２枚のパネル１のように、パネル１または連結されたパネルの長尺な込栓４を予め移動させておいて、隣接するパネル１における込栓４を空間部とされている込栓用貫通横孔３に圧入するようにすると、込栓４を押し出す場合の抵抗が少なく、スムースに連結することができる。
図６（Ｅ）の左に示す形態では、２枚の狭幅のパネル１が長尺の込栓４により連結一体化されている形態であるが、３枚あるいは４枚のパネル１を予め一体化し、このようなパネルを左右に並べて込栓４を他方のパネルの込栓用貫通横孔３に圧入すると、６枚あるいは８枚に複合一体化された広幅のパネルとすることができる。もちろん、一方のパネルが１枚で、他方のパネルが予め込栓により一体化された整数枚のパネルのとの結合のように、異なる枚数の整数枚のパネル相互の連結も可能である。このような場合に、込栓はほぼパネルの幅の整数倍の長さになり、複数枚のパネルを連結して長くなるほど、摩擦により押し込み抵抗が大きくなるので、パネル相互の接続部に渡る部分を除く部分について、僅かに小径にした小径軸部と大径軸部とを交互に設けた込栓とすることにより押し込み抵抗を小さくすることができ、連結するパネル枚数を多くすることができる。
【００１８】
図６（Ｃ）（Ｄ）（Ｅ）に示す図示の形態では、パネル１の幅方向一端側および他端側に、幅方向の中心縦軸線に対して点対称に、板幅方向のずれを拘束する凹部およびこれに接続する凸部からなる係合部９を備えているパネルとされている。
【００１９】
前記のように、本願発明のパネル１においては、パネル１を幅方向に並べて配置し、一方のパネル１に装着された込栓４の一部を、他方のパネル１における込栓用貫通横孔３に押し込むようにずらしてパネル相互を連結することができる。
【００２０】
前記のような本願発明のパネル１は、例えば、図３（Ｃ）に類似する形態を代表形態として図８を参照して説明すると、パネル１の長手方向の両端部に切り欠き段部１５が設けられ、土台または大引１６の切り欠き段部１７におけるしゃくり面または大引のしゃくり面に、パネル１の端部の切り欠き段部１５における段部下面が載置されて架設され、必要に応じ、パネル１の上面またはしゃくり上面から土台または大引１６に打ち込まれる釘（図示を省略）等により固定されて床１８が構築される。
なお、図８に示すパネル１の側面形態では、上下２列の込栓用貫通横孔３が、パネル板厚方向の上部側に変位するように設けられているが、その他の点は、図３（Ｃ）に示す形態と同様である。
【００２１】
なお、前記の図８において、パネル１が並べて土台または大引に並べて配置される場合には、既設側のパネル１は、土台または大引に釘等により、しゃくり上面側から釘の頭部が露出しない程度に打ち込まれて固定される。
【００２２】
なお、図９に示すように、本願発明のパネル１を１本の間伐材等の小径木１９から切り出す場合に、年輪の中心から僅かに変位した位置から、対称にパネル１を切り出すようにすると、歩留まりがよく品質のよいパネル１を切り出すことができる。
図９に実線または２点鎖線で示すように、パネル１の側部は傾斜した側面とした断面ほぼ台形形状としてもよい。
【００２３】
また、前記のようなパネル１を、図１０に示すように、交互に上下反転して配置し、しゃくり面を係合するように配置すると、パネルの乾燥歪みが、上下交互に分散配置されるようになるため、歪みを均等に分散した精度の高い幅の広いパネル２０とすることができる。
【００２４】
本発明を実施する場合、パネルとしては集成材によるパネルあるいは合板パネルであってもよい。
【００２５】
前記実施形態の場合には、床材に適用した形態を示したが、本発明のパネルを天井材あるいは壁材あるいは野地板あるいは化粧板等の各種部材に適用するようにしてもよい。
【図面の簡単な説明】
【００２６】
【図１】（Ａ）〜（Ｅ）は、上部に一列の込栓用貫通横孔および込栓を備えた込栓装着パネルの各種形態を示す縦断正面図である。
【図２】（Ａ）〜（Ｅ）は、平行に２列の込栓用貫通横孔および込栓を備えた込栓装着パネルの各種形態を示す縦断正面図である。
【図３】（Ａ）は図１（Ａ）〜（Ｅ）に示すパネルの込栓用貫通孔および込栓の配置パターンを示す側面図、（Ｂ）は図２（Ａ）〜（Ｅ）に示すパネルの込栓用貫通孔および込栓を千鳥状に配置した配置パターンを示す側面図、（Ｃ）は図２（Ａ）〜（Ｅ）に示すパネルの込栓用貫通孔および込栓を整列して配置した配置パターンを示す側面図である。（Ｄ）はパネルにおける端部の込栓用貫通横孔をパネル端部から半ピッチずらした位置に設けることにより、直列に配置される各パネルを、パネル幅方向に隣り合うパネルの込栓用貫通横孔と合致させて接合可能になることを説明するための代表形態を示す側面図である。
【図４】（Ａ）〜（Ｅ）は、それぞれ図１（Ａ）〜（Ｅ）に示すパネルを並べて結合する場合の説明図である。
【図５】（Ａ）〜（Ｅ）は、それぞれ図４（Ａ）〜（Ｅ）に示す状態から込栓を片側にずらしてパネル相互を連結した状態を示す正面図である。
【図６】（Ａ）〜（Ｅ）は、それぞれ図２（Ａ）〜（Ｅ）に示すパネルを並べた状態から込栓を片側にずらしてパネル相互を連結した状態を示す正面図である。
【図７】図６（Ｄ）に示す状態の斜視図である。
【図８】図３（Ｃ）に示す形態の部材の使用形態を示すものであって、土台と大引間または隣り合う大引間に設置している状態を示す一部である。
【図９】本発明のパネルの切り出し形態の配置例を示す説明図である。
【図１０】本発明のパネルを使用して広幅のパネルを構成する場合の説明図である。
【符号の説明】
【００２７】
１  パネル
２  木製パネル本体
３  込栓用貫通横孔
４  込栓
５  しゃくり下面
６  垂直面
７  切り欠き
８  しゃくり上面
９  係合部
１０  傾斜下面
１１  傾斜上面
１２  雄実
１３  雌実
１５  切り欠き段部（パネル側）
１６  土台または大引
１７  切り欠き段部（土台または大引側）
１８  床
１９  小径木
２０  幅の広いパネル
【図１】
0004828505.tif 000002
【図２】
0004828505.tif 000003
【図３】
0004828505.tif 000004
【図４】
0004828505.tif 000005
【図５】
0004828505.tif 000006
【図６】
0004828505.tif 000007
【図７】
0004828505.tif 000008
【図８】
0004828505.tif 000009
【図９】
0004828505.tif 000010
【図１０】
0004828505.tif 000011